(57)【特許請求の範囲】
【請求項１】
建物の被固定面に取り付けられる取付部と、この取付部の前方に配設された軒樋支持部とを備え、この軒樋支持部の上面に、ネット状の落ち葉除け部材が上方に湾曲した状態で係止される係止爪が一体に設けられていることを特徴とする軒樋吊具。
【請求項２】
軒樋支持部の上面の前後方向のほぼ中央部に下方に湾曲した凹部が設けられ、この凹部上面に、ネット状の落ち葉除け部材の一側端が挿入・係止される第一の係止爪と、この第一の係止爪よりも屋外側の位置に、ネット状の落ち葉除け部材のネット内に係止される第二の係止爪とが設けられている請求項１記載の軒樋吊具。
【請求項３】
第一の係止爪の先端に、上方に延設されたガイド部が設けられている請求項２記載の軒樋吊具。
【請求項４】
請求項１記載の軒樋吊具の取付部が建物の被固定面に取り付けられ、この取付部の前方に配設された軒樋支持部にて軒樋の耳部が支持され、この軒樋支持部の上面に一体に設けられた係止爪にて、ネット状の落ち葉除け部材が上方に湾曲した状態で係止されていることを特徴とする枯れ葉除け雨樋システム。
【発明の詳細な説明】
【０００１】
【発明の属する技術分野】
本発明は、軒樋内に落ち葉が入り込むのを防止する落ち葉除け部材を係止できる機能を有する軒樋吊具およびこの軒樋吊具を用いた枯れ葉除け雨樋システムに関する。
【０００２】
【従来の技術】
従来、軒樋は鼻隠し板に固定された軒樋吊具にて軒先に配設されている。ところで、樹木が多く存在する地域においては、軒樋内に入り込んでいる落ち葉、あるいは屋根に乗っている落ち葉が、雨水とともに軒樋内に流れ込み、この落ち葉がじょうごや樋集水器の落とし口を閉塞することになる。この結果、軒樋の雨水を排水する機能が損なわれることになる。
【０００３】
【発明が解決しようとする課題】
このような問題を解決するために、通常は、軒樋の上面の開口部に落ち葉除けネットを張って取り付け、軒樋内に落ち葉が入り込むのを防止するようにしている（たとえば実開昭６３−１２７５３４号公報を参照）。この場合、落ち葉除けネットの取り付けは、針金を用いて軒樋や軒樋吊具にくくり付けることで行っているが、その取付に手間がかかるという問題があった。また、高所での取付け作業であるため、作業者の安全面での問題も生じてくる。
【０００４】
また、実開昭６３−１５６３３９号公報や実開昭６３−１５６３４０号公報において、軒樋耳部への取り付け、取り外しが簡単にできるようにした軒樋の落ち葉避け具が記載されている。しかしながら、この場合も、落ち葉避け具は、軒樋吊具の固定とは別に行わなければならず、取付施工に手間がかかるという問題があった。
【０００５】
本発明の目的は、軒樋吊具ならびに軒樋の取付施工と同時に作業性よく行え、軒樋内に落ち葉が入り込むのを防止する落ち葉除け部材を係止できる機能を有する軒樋吊具ならびにこの軒樋吊具を用いた枯れ葉除け雨樋システムを提供することである。
【０００６】
【課題を解決するための手段】
請求項１記載の本発明の軒樋吊具は、建物の被固定面に取り付けられる取付部と、この取付部の前方に配設された軒樋支持部とを備え、この軒樋支持部の上面に、ネット状の落ち葉除け部材が上方に湾曲した状態で係止される係止爪が一体に設けられているものである。
【０００７】
請求項２記載の本発明は、請求項１記載の軒樋吊具において、軒樋支持部の上面の前後方向のほぼ中央部に下方に湾曲した凹部を設け、この凹部上面に、ネット状の落ち葉除け部材の一側端が挿入・係止される第一の係止爪と、この第一の係止爪よりも屋外側の位置に、ネット状落ち葉除け部材のネット内に係止される第二の係止爪とを設けたものである。
【０００８】
請求項３記載の本発明は、請求項２記載の軒樋吊具において、第一の係止爪の先端に、上方に延設されたガイド部を設けたものである。
【０００９】
請求項４記載の本発明の枯れ葉除け雨樋システムは、請求項１記載の軒樋吊具の取付部が建物の被固定面に取り付けられ、この取付部の前方に配設された軒樋支持部にて軒樋の耳部が支持され、この軒樋支持部の上面に一体に設けられた係止爪にて、ネット状の落ち葉除け部材が上方に湾曲した状態で係止されているものである。
【００１０】
本発明における軒樋吊具は、取付部と軒樋支持部とは一体でも別体でもよい。取付部と軒樋支持部は同一材料でも、異なった材料でもよい。軒樋支持具の材質は、硬質塩化ビニル樹脂、プロピレン樹脂、ポリカーボネート樹脂、ＡＥＳ樹脂などの合成樹脂、ＦＲＰなどが使用できる。また、ステンレスなどの金属材料であってもよい。
【００１１】
軒樋支持部の形状は適用される軒樋の形状に応じて決めればよく、また、両端部の樋耳支持部の形状も、同様に適用される軒樋の耳部の形状に応じて決めればよい。また、取付部の形状は、建物の被取付面である鼻隠し板などの表面形態に応じて決めればよく、単にビスなどで被取付面に取り付けられる板状体であっても、あるいは段差係止部を有するものでもよい。
【００１２】
本発明における落ち葉除け部材は、合成樹脂あるいは金属のいずれの材料でもよい。落ち葉除け部材の形態は、網状体などのネット状のものが好ましい。また、落ち葉除け部材の形状や寸法は、適用される軒樋の形状や寸法に応じて決めればよい。
【００１３】
（作用）
請求項１記載の本発明においては、軒樋支持部の上面に一体に設けられている係止爪を利用して、落ち葉除け部材を上方に湾曲した状態で作業性よく係止することができる。この結果、落ち葉は落ち葉除け部材にて除かれて、軒樋内に入ったり、あるいは雨水とともに流れ込まない。このため、じょうごや樋集水器の落とし口が落ち葉にて閉塞されず、雨水の排水特性は阻害されない。また、落ち葉除け部材がネット状のものであるので、落ち葉除け部材を丸めた状態で係止爪に係止することができる。
【００１４】
請求項２記載の本発明においては、軒樋支持部の上面の前後方向のほぼ中央部に下方に湾曲した凹部が設けられ、この凹部上面に、ネット状落ち葉除け部材の一側端が挿入・係止される第一の係止爪と、この第一の係止爪よりも屋外側の位置に、ネット状落ち葉除け部材のネット内に係止される第二の係止爪とが設けられているので、同落ち葉除け部材は２箇所にて係止されることになる。このため、風や降雪によって、ネット状落ち葉除け部材が外れることがない。
【００１５】
請求項３記載の本発明においては、第一の係止爪の先端に、上方に延設されたガイド部が設けられているので、このガイド部を利用して、その前面側にネット状落ち葉除け部材の一側端を沿わせて下方に押し込んでいくことで、作業者が上方からのぞき込むことなく、同落ち葉除け部材を係止できる。
【００１６】
請求項４記載の本発明の枯れ葉除け雨樋システムにおいては、軒樋支持部の上面に一体に設けられた係止爪にて上方に湾曲した状態で係止されたネット状の落ち葉除け部材にて、軒樋内に入ったり、あるいは雨水とともに流れ込む落ち葉は除かれるので、じょうごや樋集水器の落とし口が落ち葉にて閉塞されることがない。
【００１７】
そして、軒樋吊具ならびに軒樋の取付施工と同時に、ネット状の落ち葉除け部材の取付け作業を作業性よく簡単に行え、取付施工性にすぐれている。
【００１８】
【発明の実施の形態】
以下、本発明の実施の形態を図面に基づいて説明する。
図１〜図３は本発明の軒樋吊具の第１実施例を示すものであり、図１は正面図、図２は平面図、図３は右側面図である。
【００１９】
図１〜図３において、１はポリカーボネート樹脂製の軒樋吊具であり、被固定面である鼻隠し板７にビスや釘にて取り付けられる板状の取付部２と、この取付部２の前方に一体に突設された軒樋支持部３とで構成されている。取付部２には３個の取付孔２１が穿孔されている。
【００２０】
軒樋支持部３の屋外側先端の前板部３１の上端には、係止突起３１１が屋内側に向かって突設され、また、前板部の下端には係止突起３１２が屋外側に向かって突設されている。この係止突起３１１と係止突起３１２の間の前板部３１の前面には、台形状に屈曲した押え棒３１３が屋外側に一体に設けられている。係止突起３１１は軒樋６の前耳６１１を支持する前耳支持部に対応するものであり、係止突起３１２は軒樋６の前側壁６１に設けられた内方に窪んだ溝６１２の下方内面を支持するものである。押え棒３１３は軒樋６の前側壁６１の上半部内面の一部を当接して押圧するものである。
【００２１】
一方、軒樋支持部３の屋内側の下端部には、軒樋６の後側壁６２の上端に設けられた後耳６２１を支持する係止突起３２が設けられている。軒樋支持部３の主要部は、図４に示すように、断面形状がＩ字状とされている。また、取付部２の前面側には、図１および３に示すように、バネ弾性を有する板バネ２２が設けられ、この板バネ２２の前面に突設された突起２２１が軒樋６の後耳６２１下方の外面を押圧するようにされている。
【００２２】
軒樋支持部３の上面の前後方向のほぼ中央部には、図１に示すように、下方に湾曲した凹部３３が設けられ、この凹部３３上面に、後述の落ち葉除け用ネット部材４の下側の一側端が挿入・係止される第一の係止爪３４と、この第一の係止爪３４よりも屋外側に位置する第二の係止爪３５とが設けられている。この第二の係止爪３５が設けられている凹部３３上面の曲率半径は約２６ｍｍである。第一の係止爪３４の幅は軒樋支持部３の上面幅とほぼ同一幅とされ、その先端には、上方にほぼ垂直に延設されたガイド部３４１が設けられている。一方、第二の係止爪３５の幅は第一の係止爪３４の幅の約１／４とされ、図１に示すように、斜め下方に約４５度傾斜している。
【００２３】
つぎに、上記軒樋吊具１の使用態様、すなわち、請求項４記載の本発明の枯れ葉除け雨樋システムを図５に基づいて説明する。
まず、軒樋吊具１の取付部２を釘などの固着具（図示せず）にて、塩化ビニル樹脂被覆鋼板７１にて覆われた鼻隠し板７の前面に所定の間隔をおいて固定する。そして、軒樋６の内側に開口する溝形状に形成された前耳６１１を軒樋支持部３の係止突起３１１に係止させ、軒樋６を屋内側に回動させて軒樋６の中空状に形成された後耳６２１を係止突起３２に係止させることにより、係止突起３１２の先端にて前側壁６１の溝６１２の下方内面が係止・支持され、軒樋支持具３にて軒樋６を取り付ける。
【００２４】
なお、後耳６２１を下から押し上げるようにして、係止突起３２と板バネ２２との間を通過させ、後耳６２１の下面を係止突起３２上に載置させる。この取付状態において、後耳６２１の前後方向の移動は板バネ２２の前面に突設された突起２２１により規制を受けることになり、後耳６２１の外れに起因する軒樋６の抜け落ちは防止される。また、軒樋６の前側壁６１の上半部の変形は、前板部３１の前面に設けられた押え棒３１３の存在によって防止される。
【００２５】
４はポリエチレン樹脂製の落ち葉除け用のネット部材であり、その長さは約２．７ｍである。このネット部材４は直径約８０ｍｍの円筒状に丸められた状態とされている。このネット部材４の下方側端４１を、軒樋支持部５の凹部３３の上面に設けられた第一の係止爪３４のガイド部３４１に沿わせながら、第一の係止爪３４の奥部に当接して係止するまで下方へ押し込む。
【００２６】
そして、当接・係止した後、ネット部材４のネットの一箇所を第二の係止爪３５に係止することで、軒樋吊具１へのネット部材４の取付け作業が完了する。なお、図５に示す使用態様では、ネット部材４の上方側端４２が、野地板８の先端に設けられた水切り材８１の上面に当接するようにされている。水切り材８１の傾斜勾配は屋根勾配よりも少し大きくされている。８１は広小舞い、９は屋根瓦である。
【００２７】
上記実施態様においては、第一の係止爪３４の先端に、上方に延びたガイド部３４１が設けられているので、このガイド部３４１の前面側にネット部材４の下方側端４１を沿わせて下方に押し込むだけで、作業者が上方からのぞき込むことなく、ネット部材４を簡単に係止・固定できる。その際、第二の係止爪３５の近傍の凹部３３上面の曲率半径が円筒状のネット部材４の曲率半径よりも小さくなっているので、ネットの一箇所がネット部材４の復元力によって第二の係止爪３５に強く係止されることになる。このため、取付け固定時に作業者が怪我をするおそれもなく、安全に作業を行える。
【００２８】
そして、雨が降って、屋根に乗っている落ち葉が雨水とともに軒樋６内に流れ込むと、軒樋６の上方開口部は落ち葉除け用のネット部材４にて覆われているので、雨水とともに屋根から流れ落ちる落ち葉は、ネット部材４上を滑って軒樋６の外方に自然落下するか、あるいはネット部材４上にて止まり、軒樋６内への流れ込みを阻止される。なお、落ち葉がネット部材４上に堆積した場合は、定期的に取り除けばよい。
【００２９】
また、ネット部材４の下方側端４１が第一の係止爪３４の奥部に当接して係止され、かつ、この第一の係止爪３４よりも屋外側の位置に設けられた第二の係止爪３５にて、ネット部材４の下方側端部が係止されているので、風や降雪などの外力によって、ネット部材４が外れることがない。
【００３０】
さらに、図５に示すように、ネット部材４が上方に湾曲した状態で、しかも、その上面の一部が屋根の延長線上にほぼ位置しているので、屋根上に降雪した雪は、ネット部材４の上をスムースに滑っていき、そのまま軒樋６の外方に落ちることになる。このため、雪害による軒樋６の変形や破損が生じない。
【００３１】
図６は本発明の軒樋吊具の第２実施例を示すものであり、基本的には適用される軒樋の前側壁に対応させて、軒樋支持部の屋外側先端の構造を一部変更した以外は上記第１実施例とほぼ同一であるので、同一部分には同一符号を付して説明を省略する。
【００３２】
具体的には、図６に示すように、軒樋支持部３の屋外側先端部を上方に湾曲させて立設させ、その上端に係止突起３１１が設けられ、この係止突起３１１の下方位置から係止突起３１２が屋外側に突設されている。係止突起３１１は軒樋６Ａの前耳６１１を支持する前耳支持部に対応するものであり、係止突起３１２は軒樋６Ａの前側壁６１の上部内方に、逆く字状に膨出された中空状の補強リブ６１２Ａの下方内面を支持するものである。
【００３３】
つぎに、図６の軒樋吊具１の使用態様、すなわち、請求項４記載の本発明の枯れ葉除け雨樋システムを図７に基づいて説明する。
上記第１実施例と同様にして、軒樋吊具１の取付部２を釘などにて、塩化ビニル樹脂被覆鋼板７１にて覆われた鼻隠し板７の前面に所定の間隔をおいて固定する。そして、軒樋６の前耳６１１を軒樋支持部３の係止突起３１１に係止させ、軒樋６を屋内側に回動させて軒樋６の後耳６２１を係止突起３２に係止させることにより、係止突起３１１と係止突起３１２の間にて、軒樋６の補強リブ６１２Ａが係止・支持され、軒樋支持具３にて軒樋６が取り付けられる。
【００３４】
そして、上記第１実施例と同様にして、ネット部材４の下方側端４１を、軒樋支持部５の凹部３３の上面に設けられた第一の係止爪３４のガイド部３４１の前面に沿わせながら、第一の係止爪３４の奥部に当接して係止するまで下方へ押し込む。下方側端４１を第一の係止爪３４に当接・係止した後、ネット部材４のネットの一箇所を第二の係止爪３５に係止することで、軒樋吊具１へのネット部材４の取付け作業が完了する。なお、この場合も、ネット部材４の上方側端４２が、野地板８の先端に設けられた水切り材８１の上面に当接するようにされている。
【００３５】
この場合も、上記第１実施例と同様に、第一の係止爪３４の先端に、上方に延びたガイド部３４１が設けられているので、このガイド部３４１の前面側にネット部材４の下方側端４１を沿わせて下方に押し込むだけで、作業者が上方からのぞき込むことなく、ネット部材４を簡単に係止できる。そして、この場合も上記第１実施例と同様に、第二の係止爪３５の近傍の凹部３３上面の曲率半径（約２６ｍｍ）が円筒状のネット部材４の曲率半径（約４０ｍｍ）よりも小さくなっているので、ネットの一箇所がネット部材４の復元力によって第二の係止爪３５に強く係止されることになる。このため、取付け固定時に作業者が怪我をするおそれもなく、安全に作業を行える。
【００３６】
そして、雨が降って、屋根に乗っている落ち葉が雨水とともに軒樋６内に流れ込むと、軒樋６の上方開口部は落ち葉除け用のネット部材４にて覆われているので、雨水とともに屋根から流れ落ちる落ち葉は、ネット部材４上を滑って軒樋６の外方に自然落下するか、あるいはネット部材４上にて止まり、軒樋６内への流れ込みを阻止される。
【００３７】
また、ネット部材４の下方側端４１が第一の係止爪３４の奥部に当接して係止され、かつ、この第一の係止爪３４よりも屋外側の位置に設けられた第二の係止爪３５にて、ネット部材４の下方側端部が係止されているので、風や降雪などの外力によって、ネット部材４が外れることがない。
【００３８】
さらに、図７に示すように、ネット部材４が上方に湾曲した状態で、しかも、その上面の一部が屋根の延長線上にほぼ位置しているので、屋根上に降雪した雪は、ネット部材４の上をスムースに滑っていき、そのまま軒樋６の外方に落ちることになる。このため、雪害による軒樋６の変形や破損が生じない。
【００３９】
上記第１実施例においては、第一の係止爪３４の先端に、上方にほぼ垂直に延びるガイド部３４１を設けたが、図８に示すように、ガイド部３４１に対応する部分を省略してもよい。また、係止突起３１１と係止突起３１２の間の前板部３１の前面に、台形状に屈曲した押え棒３１３を設ける代わりに、図８に示すように、台形板状の押え片３１３Ａを設けてもよい。
【００４０】
さらに、軒樋支持部３上面の凹部３３の湾曲度合いは、図８に示すように、かなり緩やかにしてもよい。この場合、同図に示すように、軒樋支持部３の上面から支持片３７を立設し、この支持片３７の先端から屋内側に向かって、第二の係止爪３５を設けるのが好ましい。この第二の係止爪３５の形状は、図９に示すように、矢尻状としてもよい。
【００４１】
また、第一の係止爪３４の形状は、図１０に示すように、断面Ｔ字状としてもよい。このようにすると、屋内側に位置する第一の係止爪３４にて、ネット部材４の上方側端４１を係止することができる。この場合、野地板８の先端に水切り材８１を設置しなくても、あるいは、水切り材８１の上下方向の長さや設置勾配を、係止したネット部材４の輪郭に対応させて適宜変更すればよい。
【００４２】
【発明の効果】
請求項１記載の本発明の軒樋吊具においては、軒樋支持部の上面に一体に設けられている係止爪を利用して、落ち葉除け部材を上方に湾曲した状態で作業性よく係止することができ、この結果、落ち葉は落ち葉除け部材にて除かれて、軒樋内に入ったり、あるいは雨水とともに流れ込まず、じょうごや樋集水器の落とし口が落ち葉にて閉塞されず、雨水の排水特性は阻害されない。また、落ち葉除け部材がネット状のものであるので、丸めた状態で、落ち葉除け部材を係止爪に係止することができる。
【００４３】
請求項２記載の本発明においては、軒樋支持部の上面の下方に湾曲した凹部の上面に、ネット状落ち葉除け部材の一側端が挿入・係止される第一の係止爪と、この第一の係止爪よりも屋外側の位置に、ネット状落ち葉除け部材のネット内に係止される第二の係止爪とが設けられているので、落ち葉除け部材が第一および第二の両係止爪の２箇所にて係止されることになり、この結果、風や降雪などの外力によるネット状落ち葉除け部材の外れを防止できる。
【００４４】
請求項３記載の本発明においては、第一の係止爪の先端に上方に延設して設けられたガイド部を利用して、その前面側にネット状落ち葉除け部材の一側端を沿わせて下方に押し込むだけで、作業者が上方からのぞき込むことなく、落ち葉除け部材を係止できる。したがって、高所での取付け作業を安全性よく行える。
【００４５】
請求項４記載の本発明の枯れ葉除け雨樋システムにおいては、軒樋内に入ったり、あるいは雨水とともに流れ込む落ち葉は、軒樋支持部に設けられた係止爪にて係止されたネット状の落ち葉除け部材にて除かれるので、じょうごや樋集水器の落とし口が落ち葉にて閉塞されるのを防止できる。
【００４６】
また、軒樋吊具ならびに軒樋の取付施工と同時に、ネット状の落ち葉除け部材の取付け作業を作業性よく簡単に行え、取付施工性にすぐれている。
【図面の簡単な説明】
【図１】  本発明の軒樋吊具の第１実施例を示す正面図である。
【図２】  図１対応の平面図である。
【図３】  図１対応の右側面図である。
【図４】  図１のＸ−Ｘ線での切断端面図である。
【図５】  図１の軒樋吊具を用いた本発明の枯れ葉除け雨樋システムを示す説明図である。
【図６】  本発明の軒樋吊具の第２実施例を示す正面図である。
【図７】  図６の軒樋吊具を用いた本発明の枯れ葉除け雨樋システムを示す説明図である。
【図８】  本発明の軒樋吊具の第３実施例を示す正面図である。
【図９】  第二の係止爪の変形例を示す説明図である。
【図１０】  第一の係止爪の変形例を示す説明図である。
【符号の説明】
１  軒樋吊具
２  取付部
２２  板バネ
３  軒樋支持部
３１  前板部
３１１，３１２，３２  係止突起
３１３  押え棒
３３  凹部
３４  第一の係止爪
３４１  ガイド部
３５  第二の係止爪
４  ネット部材
６  軒樋
６１  前側壁
６１１  前耳
６１２  溝
６２１  後耳
７  鼻隠し板（被固定面）
８１  水切り材
【図１】
0003730788.tif 000002
【図２】
0003730788.tif 000003
【図３】
0003730788.tif 000004
【図４】
0003730788.tif 000005
【図５】
0003730788.tif 000006
【図６】
0003730788.tif 000007
【図７】
0003730788.tif 000008
【図８】
0003730788.tif 000009
【図９】
0003730788.tif 000010
【図１０】
0003730788.tif 000011